(57)【要約】【課題】小型で携帯性に優れかつ消費電力を抑制できる光パラメトリック発振器。【解決手段】ポンプ光を共振させる第１共振器４と、シグナル光を共振させると共にアイドラ光を外部へ出力する第２共振器５とを備え、第１共振器４は、ポンプ光を発生する固体レーザー結晶６と、励起光源と固体レーザー結晶６との間に配置される第１反射鏡７と、第１反射鏡７と対向し固体レーザー結晶６を挟んで位置され第１反射鏡７とでポンプ光を共振させる第２反射鏡８とを備えて構成し、第２共振器５は、固体レーザー結晶６と第２反射鏡８の間に配置されポンプ光をシグナル光とアイドラ光に変換する非線形光学結晶９と、アイドラ光を透過させる第２反射鏡８と、固体レーザー結晶６と非線形光学結晶９の間に位置され第２反射鏡８とでシグナル光を共振させる第３反射鏡１０とを備えて構成し、第２反射鏡８と第３反射鏡１０との少なくとも一方を非線形光学結晶９の端面に形成する。【選択図】図１
2010204507.tif 000002
【特許請求の範囲】
【請求項１】
励起光源から出力される励起光に基づいて発生するポンプ光を、該ポンプ光の波長と異なる波長のシグナル光とアイドラ光とに変換し前記アイドラ光を外部へ出力する光パラメトリック発振器において、
前記ポンプ光を共振させる第１共振器と、
前記シグナル光を共振させると共に前記アイドラ光を外部へ出力する第２共振器と、
を備え、
前記第１共振器は、前記励起光の入力により前記ポンプ光を発生する固体レーザー結晶と、前記励起光源と前記固体レーザー結晶との間に配置される第１反射鏡と、該第１反射鏡と対向して前記固体レーザー結晶を挟んで位置され前記第１反射鏡とでポンプ光を共振させる第２反射鏡とを備えて構成し、
前記第２共振器は、前記固体レーザー結晶と前記第２反射鏡との間に配置され前記ポンプ光を前記シグナル光と前記アイドラ光とに変換する非線形光学結晶と、前記アイドラ光を透過させる前記第２反射鏡と、前記固体レーザー結晶と前記非線形光学結晶の間に位置され前記第２反射鏡とでシグナル光を共振させる第３反射鏡とを備えて構成し、
前記第２反射鏡と前記第３反射鏡との少なくともどちらか一方を、前記非線形光学結晶の端面に形成する構成としたことを特徴とする光パラメトリック発振器。
【請求項２】
前記第２反射鏡と前記第３反射鏡との少なくともどちらか一方は、前記非線形光学結晶の端面に蒸着する構成としたことを特徴とする請求項１に記載の光パラメトリック発振器。
【請求項３】
前記第１反射鏡は、前記固体レーザー結晶側に凹面部を向けて配置されて成る凹面鏡であり、前記第２反射鏡は、平面鏡であることを特徴とする請求項１又は２に記載の光パラメトリック発振器。
【請求項４】
前記アイドラ光の波長を変更する波長変更手段を備えたことを特徴とする請求項１〜３に記載の光パラメトリック発振器。
【請求項５】
前記波長変更手段は、前記固体レーザー結晶と前記第３反射鏡との間にエタロン板を配置して構成したことを特徴とする請求項４に記載の光パラメトリック発振器。
【請求項６】
前記波長変更手段は、前記第２共振器の外側であって前記第２反射鏡側にエタロン板を配置して構成したことを特徴とする請求項４に記載の光パラメトリック発振器。
【請求項７】
前記エタロン板に入射するレーザー光の入射角度を、調整可能な構成としたことを特徴とする請求項５又は６に記載の光パラメトリック発振器。
【請求項８】
前記波長変更手段は、前記固体レーザー結晶と前記第３反射鏡の互いに対向する端面間で前記ポンプ光の一部を共振させるように、各端面を形成して構成したことを特徴とする請求項４に記載の光パラメトリック発振器。
【請求項９】
前記固体レーザー結晶及び前記第３反射鏡の互いに対向する端面間の距離は、調整可能な構成としたことを特徴とする請求項８に記載の光パラメトリック発振器。
【請求項１０】
前記波長変更手段は、前記非線形光学結晶の温度を変更可能な温度調整手段を備えて構成したことを特徴とする請求項４〜９のいずれか１つに記載の光パラメトリック発振器。
【請求項１１】
前記波長変更手段は、前記非線形光学結晶内を透過するポンプ光の光路上における分極反転周期が変わるように、前記ポンプ光を入射させる構成としたことを特徴とする請求項４〜１０のいずれか１つに記載に記載の光パラメトリック発振器。
【請求項１２】
外部へ出力する前記アイドラ光の波長は、中赤外線領域としたことを特徴とする請求項１〜１１のいずれか１つに記載に記載の光パラメトリック発振器。
【請求項１３】
前記請求項１〜１２のいずれか１つに記載の光パラメトリック発振器を備え、該光パラメトリック発振器からガス計測領域に前記アイドラ光を照射して計測対象ガスの濃度を計測するガス計測装置。
【発明の詳細な説明】
【技術分野】
【０００１】
本発明は、ポンプ光をシグナル光とアイドラ光に変換しアイドラ光を外部へ出力する光パラメトリック発振器に関し、詳しくは、小型で消費電力を抑制できる光パラメトリック発振器に係るものである。
【背景技術】
【０００２】
例えば、製鉄所内に敷設されている配管から漏洩する微量ガスを遠隔検出する方法として、レーザー光を用いた吸収分光法がある。また、吸収分光法を用いて、例えば、検出対象ガスが一酸化炭素（ＣＯ）であり、ガス計測領域までの距離が１〜１０ｍという条件で、微量ガス（濃度１０〜１００ｐｐｍ・ｍ）を遠隔で検出する場合、中赤外線領域（３〜５μｍ）の波長のレーザー光を出力１０ｍＷ以上で発振させる技術が必要である事が分かっている。
【０００３】
ここで、微量ガスの遠隔検出用のレーザー発振器は、レーザー光を常温でかつ連続的に発振可能であることが望ましく、中赤外線領域の波長のレーザー光の場合は差周波変換技術と光パラメトリック変換技術により実現できる。差周波変換技術を利用する発振器の場合、ポンプ光とシグナル光のレーザー光源を個々に設ける必要があり、発振器の製造コストが高くなる。一方、光パラメトリック変換技術を利用する発振器の場合は、レーザー光源はポンプ光用の光源のみでよい。したがって、微量ガスの遠隔検出用のレーザー発振器としては、光パラメトリック変換技術を利用した光パラメトリック発振器の方が、製造コストを抑制できるため望ましい。ところで、光パラメトリック発振の場合、発振させるために必要な非線形光学結晶に入力するレーザー光の出力値（以下において、発振閾値という）は、高いことが知られている。
【０００４】
ここで、微量ガスの遠隔検出の実際の作業を考慮して、光パラメトリック発振器を持ち運び可能な構成にしようとすると、バッテリを内蔵し駆動させる必要があるため、小型で消費電力が抑制されたものが求められる。
【０００５】
従来、ポンプ光をシグナル光とアイドラ光に変換する光パラメトリック発振器としては、例えば、特許文献１に記載されたものがある。特許文献１に記載された光パラメトリック発振器は、励起源から発生する所定の出力の励起光により固体レーザー結晶を励起させてポンプ光を発生させ、このポンプ光を共振させる第１共振器内に、ポンプ光を波長の異なるシグナル光とアイドラ光に変換する非線形光学結晶を設置し、固体レーザー結晶から出力されたポンプ光の強度を増幅させる構成である。このような構成であるため、固体レーザー結晶から出力されるポンプ光の出力値が非線形光学結晶の発振閾値より低くても、非線形光学結晶に入力するポンプ光を発振閾値以上の出力に増幅することができる。これにより、固体レーザー結晶から発生するポンプ光の出力が発振閾値以下になるように、励起光の出力を抑えて励起源を駆動させて消費電力を抑制させている。
【先行技術文献】
【特許文献】
【０００６】
【特許文献１】特願平１１−１４９１００号公報
【発明の概要】
【発明が解決しようとする課題】
【０００７】
しかしながら、従来のこの種の光パラメトリック発振器は、非線形光学結晶用の共振器ミラーを非線形光学結晶の両側に離間して配置する構成であるため、光パラメトリック発振器のサイズが大きくなり、携帯性に欠けるという問題がある。
【０００８】
そこで、本発明は上記問題点に着目してなされたもので、小型で携帯性に優れかつ消費電力を抑制できる光パラメトリック発振器を提供することを目的とする。
【課題を解決するための手段】
【０００９】
上記目的を達成するために、本発明による光パラメトリック発振器は、励起光源から出力される励起光に基づいて発生するポンプ光を、該ポンプ光の波長と異なる波長のシグナル光とアイドラ光とに変換し前記アイドラ光を外部へ出力する光パラメトリック発振器において、前記ポンプ光を共振させる第１共振器と、前記シグナル光を共振させると共に前記アイドラ光を外部へ出力する第２共振器と、を備え、前記第１共振器は、前記励起光の入力により前記ポンプ光を発生する固体レーザー結晶と、前記励起光源と前記固体レーザー結晶との間に配置される第１反射鏡と、該第１反射鏡と対向して前記固体レーザー結晶を挟んで位置され前記第１反射鏡とでポンプ光を共振させる第２反射鏡とを備えて構成し、前記第２共振器は、前記固体レーザー結晶と前記第２反射鏡との間に配置され前記ポンプ光を前記シグナル光と前記アイドラ光とに変換する非線形光学結晶と、前記アイドラ光を透過させる前記第２反射鏡と、前記固体レーザー結晶と前記非線形光学結晶の間に位置され前記第２反射鏡とでシグナル光を共振させる第３反射鏡とを備えて構成し、前記第２反射鏡と前記第３反射鏡との少なくともどちらか一方を、前記非線形光学結晶の端面に形成する構成としたものである。
【００１０】
このような構成により、固体レーザー結晶によって、励起光の入力によりポンプ光を発生させ、励起光源と固体レーザー結晶との間に配置される第１反射鏡と、該第１反射鏡と対向して固体レーザー結晶を挟んで位置される第２反射鏡とによって、ポンプ光を共振させ、固体レーザー結晶と第２反射鏡との間に配置される非線形光学結晶によって、ポンプ光をシグナル光とアイドラ光とに変換し、アイドラ光を透過させる第２反射鏡と、固体レーザー結晶と非線形光学結晶の間に位置される第３反射鏡とによって、シグナル光を共振させ、非線形光学結晶の端面に第２反射鏡と第３反射鏡との少なくともどちらか一方を、形成させる。これにより、非線形光学結晶の端面に第２反射鏡と第３反射鏡との少なくともどちらか一方を、非線形光学結晶の端面に形成させた状態で、第１共振器によりポンプ光の強度を増幅し、非線形光学結晶によりポンプ光の一部をシグナル光とアイドラ光に変換し、第２共振器によりシグナル光を共振させ、アイドラ光を外部へ出力する。
【００１１】
また、請求項２のように、前記第２反射鏡と前記第３反射鏡との少なくともどちらか一方は、前記非線形光学結晶の端面に蒸着する構成にするとよい。
【００１２】
さらに、請求項３のように、前記第１反射鏡を、前記固体レーザー結晶側に凹面部を向けて配置されて成る凹面鏡とし、前記第２反射鏡を、平面鏡とした構成にするとよい。これにより、ポンプ光の焦点位置を、第２反射鏡に設定することができる。
【００１３】
さらにまた、請求項４のように、前記アイドラ光の波長を変更する波長変更手段を備えた構成にするとよい。
【００１４】
また、請求項５のように、前記波長変更手段は、前記固体レーザー結晶と前記第３反射鏡との間にエタロン板を配置して構成してもよい。この構成において、エタロン板の厚みによってポンプ光の波長を変更して設定できるので、エタロン板の厚みを適切に設定すれば、適切に設定されたポンプ光の波長に基づいてアイドラ光の波長を設定できるようになる。さらに、エタロン板により、非線形光学結晶へ入力するポンプ光を、従来から知られているように、シングルモード化及び狭線幅化させる。
【００１５】
さらに、請求項６のように、前記波長変更手段は、前記第２共振器の外側であって前記第２反射鏡側にエタロン板を配置して構成してもよい。これにより、非線形光学結晶で波長変換され発振された後のアイドラ光の波長を変更する。
【００１６】
さらにまた、請求項７のように、前記エタロン板に入射するレーザー光の入射角度を、調整可能な構成にしてもよい。これにより、エタロン板が固体レーザー結晶と第３反射鏡との間に配置された場合は、非線形光学結晶に入力されるポンプ光の波長をエタロン板に入射するレーザー光の入射角度に応じて掃引し、その結果、シグナル光及びアイドラ光を掃引可能にする。また、エタロン板が第２共振器の外側であって第２反射鏡側に配置された場合は、非線形光学結晶で波長変換され発振された後のアイドラ光の波長を同様に掃引する。
【００１７】
また、請求項８のように、前記波長変更手段は、前記固体レーザー結晶と前記第３反射鏡の互いに対向する端面で前記ポンプ光の一部を共振させるように、該端面を形成して構成してもよい。この構成において、固体レーザー結晶と第３反射鏡の互いに対向する端面間の距離によってポンプ光の波長を設定できるので、固体レーザー結晶と第３反射鏡の互いに対向する端面間の距離を適切に設定すれば、適切に設定されたポンプ光の波長に基づいてアイドラ光の波長を設定できるようになる。さらに、非線形光学結晶へ入力するポンプ光を固体レーザー結晶及び第３反射鏡の互いに対向する端面間で共振させることにより、非線形光学結晶へ入力するポンプ光を、従来から知られているように、シングルモード化及び狭線幅化させる。
【００１８】
さらに、請求項９のように、前記固体レーザー結晶及び前記第３反射鏡の互いに対向する端面間の距離は、調整可能な構成にしてもよい。これにより、非線形光学結晶に入力されるポンプ光の波長を掃引し、その結果、シグナル光及びアイドラ光を掃引可能にする。
【００１９】
さらにまた、請求項１０のように、前記波長変更手段は、前記非線形光学結晶の温度を変更可能な温度調整手段をさらに備えて構成にしてもよい。
【００２０】
また、請求項１１のように、前記波長変更手段は、前記非線形光学結晶内を透過するポンプ光の光路上における分極反転周期が変わるように、前記ポンプ光を入射させる構成にしてもよい。
【００２１】
さらに、請求項１２のように、外部へ出力する前記アイドラ光の波長は、中赤外線領域とした構成にしてもよい。
【００２２】
さらにまた、請求項１３のように、前記請求項１〜１２のいずれか１つに記載の光パラメトリック発振器を備え、該光パラメトリック発振器からガス計測領域にアイドラ光を照射して計測対象ガスの濃度を計測するガス計測装置にしてもよい。
【発明の効果】
【００２３】
本願発明の光パラメトリック発振器によれば、第２反射鏡と第３反射鏡との少なくともどちらか一方を、非線形光学結晶の端面に形成させた状態で、第１共振器によりポンプ光を共振させ、第２共振器によりシグナル光を共振させ、非線形光学結晶によりポンプ光をシグナル光とアイドラ光に変換しアイドラ光を外部へ出力させることができる。これにより、共振器の長さを短くし小型化することができる。また、固体レーザー結晶から出力されたポンプ光の強度を増幅して非線形光学結晶の光パラメトリック発振の発振閾値以上の出力に高めることができる。したがって、共振器の長さを短くし小型化すると共に、固体レーザー結晶から発生するポンプ光の出力が発振閾値以下になるように、励起光の出力を抑えて励起光源を駆動させて消費電力を抑制することができる。このようにして、小型で携帯性に優れかつ消費電力を抑制できる光パラメトリック発振器を提供することができる。
【図面の簡単な説明】
【００２４】
【図１】本発明に係る光パラメトリック発振器の第１実施形態の説明図で、（Ａ）は概略構成図、（Ｂ）は第１実施形態の光パラメトリック発振器における各区間でのレーザー光の主な波長の一例を示す説明図である。
【図２】共振器内での縦マルチモード化を示す一般概念図である。
【図３】レーザー光のパワースペクトル及びエタロン板によるシングルモード化、狭線幅化を示す一般概念図である。
【図４】本発明に係る光パラメトリック発振器の第２実施形態の説明図で、（Ａ）は概略構成図、（Ｂ）は第２実施形態の光パラメトリック発振器の各区間で伝播するレーザー光の主な波長の一例を示す説明図である。
【図５】本発明に係る光パラメトリック発振器の第３実施形態の説明図で、（Ａ）は概略構成図、（Ｂ）は第３実施形態の光パラメトリック発振器の各区間で伝播するレーザー光の主な波長の一例を示す説明図である。
【図６】本発明に係る光パラメトリック発振器の第４実施形態の概略構成図である。
【図７】本発明に係る光パラメトリック発振器の第５実施形態の概略構成図である。
【図８】本発明に係る光パラメトリック発振器の第６実施形態の説明図で、（Ａ）は概略構成図、（Ｂ）は第６実施形態の光パラメトリック発振器の各区間で伝播するレーザー光の主な波長の一例を示す説明図である。
【図９】本発明に係る光パラメトリック発振器の第７実施形態の概略構成図である。
【図１０】本発明に係る光パラメトリック発振器の第８実施形態の概略構成図である。
【図１１】本発明に係るガス計測装置の実施形態を示す概略構成図である。
【図１２】ガス計測装置の概略動作を示すフロー図である。
【図１３】アイドラ光の波長と計測対象ガスへのアイドラ光の透過率の一例を示す図である。
【発明を実施するための形態】
【００２５】
以下、本発明の実施形態を添付図面に基づいて詳細に説明する。
図１（Ａ）は、本発明に係る光パラメトリック発振器１の第１実施形態を示す概略構成図である。図１（Ｂ）は本実施形態における光パラメトリック発振器１の各区間でのレーザー光の主な波長の一例を示す説明図である。
図１（Ａ）において、本実施形態の光パラメトリック発振器１は、励起光源２から発生する励起光により励起された後述する固体レーザー結晶６から発生するポンプ光の一部を、該ポンプ光の波長と異なる波長のシグナル光とアイドラ光とに変換し外部へ出力するもので、励起光源２と、集光レンズ３と、第１共振器４と、第２共振器５とを備えている。また、図１（Ａ）において破線は励起光の光路を示し、点線はポンプ光の光路を示す。
【００２６】
励起光源２は、レーザー光を発生するものであり、例えば、市販のレーザー光源である。この励起光源２から出射されるレーザー光は、後述する固体レーザー結晶６を励起させる励起光となる。励起光源２から出射される励起光は、図１（Ｂ）に示すλ０の区間を主に伝播し、その波長（λ０）、例えば、約８０８ｎｍである。
【００２７】
集光レンズ３は、図１（Ａ）において破線で示すように、励起光源２から出射される励起光を後述する固体レーザー結晶６の中心で集光するように構成されるレンズである。
【００２８】
第１共振器４は、励起光によって励起された後述する固体レーザー結晶６から発生するポンプ光を共振させるものであり、図１（Ａ）に示すように、固体レーザー結晶６と、第１反射鏡７と、第２反射鏡８とを備えている。なお、本実施形態においては、エタロン板１１ａ（波長変更手段１１）を更に備えている。
【００２９】
固体レーザー結晶６は、励起光を入力するとポンプ光を発生するものであり、図１（Ａ）に示すように、第１共振器４内に配置されている。固体レーザー結晶６として使用する結晶は、例えば、Ｎｄ：ＹＶＯ４(ネオジウム添加バナジン酸イットリウム)であり、この場合、固体レーザー結晶６において、波長（λ０）が約８０８ｎｍの励起光の入力により発生するポンプ光は、図１（Ｂ）に示すλｐの区間を主に伝播し、その波長（λｐ）は、例えば、約１０６４ｎｍである。
【００３０】
第１反射鏡７は、第１共振器４用の反射鏡となるもので、図１（Ａ）に示すように、集光レンズ３と固体レーザー結晶６との間に配置され、励起光を透過すると共にポンプ光を反射するように、例えば、反射率が励起光に対しては低く、ポンプ光に対しては高く設定されている。
【００３１】
第２反射鏡８は、第１共振器４及び後述する第２共振器５用の反射鏡となるもので、図１（Ａ）に示すように、第１反射鏡７と対向して固体レーザー結晶６を挟んで位置され、ポンプ光を反射するように、例えば、反射率がポンプ光に対しては高く設定されている。これにより、第１共振器４の第１反射鏡７と第２反射鏡８とにより、ポンプ光を共振させることができる。なお、本実施形態において、第２反射鏡８は、図１（Ａ）に示すように、後述する非線形光学結晶９の出力側（図１（Ａ）における右側）の端面に蒸着されている。
【００３２】
第２共振器５は、シグナル光を共振させると共にアイドラ光を外部へ出力するものであり、図１（Ａ）に示すように、第２反射鏡８と、非線形光学結晶９と、第３反射鏡１０とを備えている。
【００３３】
非線形光学結晶９は、分極反転構造を有する強誘電体の結晶からなり、固体レーザー結晶６から出力されるポンプ光（波長λｐ）を入射するとそのポンプ光の一部を、シグナル光（波長λｓ）とアイドラ光（波長λi）とに変換し出力するものであり、各波長の大小関係は、λｐ＜λｓ＜λiであり、下記の（１）式を満たしている。
１／λｐ＝１／λｓ＋１／λi  ・・・・・（１）
また、非線形光学結晶９は、図１（Ａ）に示すように、固体レーザー結晶６と前記第２反射鏡８との間に配置されている。非線形光学結晶９は、例えば、分極反転構造を持つニオブ酸リチウムＬｉＮｂＯ３（ＰＰＬＮ：ＰｅｒｉｏｄｉｃＡｌｌｙ−Ｐｏｌｅｄ  ＬＮ）を用いる。この場合、非線形光学結晶９において、波長（λｐ）約１０６４ｎｍのポンプ光から波長変換されるシグナル光とアイドラ光は、図１（Ｂ）に示すλｓ及びλiの区間を主に伝播し、その波長は、例えば、それぞれ約１３８４ｎｍ（λｓ）と約４６１０ｎｍ（λi）である。
【００３４】
そして、第２共振器５用の反射鏡でもある前述の第２反射鏡８は、前述した様にポンプ光に対しては反射率が高く設定されていると共に、シグナル光及びアイドラ光については、アイドラ光を透過すると共にシグナル光を反射するように、例えば、反射率がアイドラ光に対しては低く、シグナル光に対しては高く設定されている。
【００３５】
第３反射鏡１０は、第２共振器５用の反射鏡となるもので、図１（Ａ）に示すように、固体レーザー結晶６と非線形光学結晶９の間に位置され、ポンプ光を透過すると共にシグナル光を反射するように、例えば、反射率がポンプ光に対しては低く、シグナル光に対しては高く設定されている。これにより、第２共振器５の第２反射鏡８と第３反射鏡１０とにより、シグナル光を共振させることができる。なお、本実施形態においては、第３反射鏡１０は、図１（Ａ）に示すように、非線形光学結晶９の入力側（図１（Ａ）における左側）の端面に蒸着されている。これにより、第２共振器５の共振器長を短くすることにより第１共振器４を小型化することができる。なお、本実施形態においては、前述した様に第２反射鏡８も非線形光学結晶９に蒸着されているため、第１共振器４の共振器長をさらに短くすることができ第１共振器４をさらに小型化することができる。
【００３６】
エタロン板１１ａは、外部へ出力されるアイドラ光の波長を変更する波長変更手段１１を構成するもので、例えば、市販のエタロン板であり、図１（Ａ）に示すように、固体レーザー結晶６と第３反射鏡１０との間に配置されている。エタロン板１１ａは、従来から知られている様に、入力されるレーザー光の波長をエタロン板１１ａの厚みに応じた波長に設定して出力させることができ、エタロン板の厚み（図１（Ａ）における光軸方向の厚み）が厚いほど波長は長くなり、薄いほど波長は短くなる。したがって、固体レーザー結晶６から出力されるポンプ光の波長が、非線形光学結晶９に入力する目標の波長（例えば、λｐ＝１０６４ｎｍ）とずれていたとしても、エタロン板１１ａの厚みを適切に設定すれば、エタロン板１１ａを通過したポンプ光の波長を目標の波長に設定することができる。これにより、目標の波長に設定されたポンプ光の波長と非線形光学結晶９に基づいて決まる前記（１）式を満たすシグナル光とアイドラ光の波長を設定することができる。また、エタロン板１１ａは、後述するように共振器内でのレーザー光の品質を向上させる機能も備えている。
【００３７】
なお、本実施形態においては、第１反射鏡７は、図１（Ａ）に示すように、固体レーザー結晶６側に凹面部を向けて配置されて成る凹面鏡で構成され、第２反射鏡８は、平面形状に形成された平面鏡で構成されている。これにより、ポンプ光は、図１（Ａ）において点線で示すように、第１反射鏡７により集光され、その焦点位置を、第２反射鏡８とポンプ光の光軸との交点に設定することができ、後述するように非線形光学結晶９内での波長変換効率を向上させることができる。
【００３８】
次に、このように構成された第１実施形態の光パラメトリック発振器１が外部へアイドラ光を出力する動作について、例えば、励起光源２から出力される励起光の波長λ０が約８０８ｎｍであり、固体レーザー結晶６がＮｄ：ＹＶＯ４(ネオジウム添加バナジン酸イットリウム)であり、また、固体レーザー結晶６から出力されるポンプ光の波長λｐは約１０６４ｎｍであり、非線形光学結晶９がニオブ酸リチウムＬｉＮｂＯ３（ＰＰＬＮ：ＰｅｒｉｏｄｉｃＡｌｌｙ−Ｐｏｌｅｄ  ＬＮ）であり、目標とするアイドラ光の波長が４６１０ｎｍである場合を例として説明する。
【００３９】
まず、図１（Ａ）、（Ｂ）に示すように、励起光源２から波長λ０が約８０８ｎｍの励起光が、集光レンズ３によりＮｄ：ＹＶＯ４（固体レーザー結晶６）の中心に集光するように出力され、凹面鏡（第１反射鏡７）を透過し、Ｎｄ：ＹＶＯ４（固体レーザー結晶６）に入力され、Ｎｄ：ＹＶＯ４から波長λｐが約１０６４ｎｍのポンプ光が出力される。このＮｄ：ＹＶＯ４から出力されるポンプ光の出力値がＰＰＬＮ（非線形光学結晶９）の発振閾値以下になるように励起光の出力値は抑制されている。そして、発振閾値以下の出力のポンプ光は、エタロン板１１ａ及び第３反射鏡１０、ＰＰＬＮを通過し、平面鏡（第２反射鏡８）に向かって伝播する。そして、ポンプ光は、平面鏡（第２反射鏡８）で反射し、凹面鏡（第１反射鏡７）に向かって伝播し、増幅されると共に、エタロン板１１ａの厚みに応じた目標の波長に設定される。さらに、増幅されたポンプ光は、凹面鏡（第１反射鏡７）で反射し、Ｎｄ：ＹＶＯ４を透過する。例えば、このようにポンプ光が第１共振器４内を一往復した時にポンプ光の出力値がＰＰＬＮの発振閾値以上に増幅される。次に、発振閾値以上の出力に増幅されたポンプ光は、図１（Ａ）に示すように、平面鏡（第２反射鏡８）とポンプ光の光軸との交点に設定された焦点に集光され、所定のビーム拡がり角θ１を有した状態で、ＰＰＬＮに入力され、ＰＰＬＮに基づいて決まる前記（１）式を満たす波長のシグナル光とアイドラ光とに変換される。そして、アイドラ光は第２反射鏡８を透過して外部へ出力される。さらに、シグナル光は第２反射鏡８で反射し、第３反射鏡１０と共振する。ここで、非線形光学結晶９で波長変換されるアイドラ光の波長を正確に目標の４６１０ｎｍとなる所定の波長のポンプ光に設定される様に、厚みが製作されたエタロン板１１ａを使用することにより、目標とする波長λi（４６１０ｎｍ）のアイドラ光を外部に出力することができる。なお、上記においては、第１共振器４内をポンプ光が一往復した時にポンプ光の出力が非線形光学結晶９の発振閾値以上に増幅される場合について説明したが、これに限らず、発振閾値に達するまで複数回往復してもよい。
【００４０】
このような構成により、第１共振器４によって、固体レーザー結晶から出力されたポンプ光の強度を増幅して非線形光学結晶の光パラメトリック発振の発振閾値以上の出力に高めることができる。したがって、固体レーザー結晶から発生するポンプ光の出力が発振閾値以下になるように、励起光の出力を抑えて励起光源を駆動させて消費電力を抑制することができる。
【００４１】
また、第２共振器５によって、シグナル光を共振させる構成であるため、第２共振器５内での非線形光学結晶９の発振閾値は、従来から知られているように、小さくすることができる。したがって、さらに消費電力を抑制することができる。また前述した様に、本実施形態においては、第２反射鏡８及び第３反射鏡１０は非線形光学結晶９の端面にそれぞれ蒸着されているため共振器が小型化されている。以上より、小型で携帯性に優れかつ消費電力を抑制できる光パラメトリック発振器１を提供することができる。
【００４２】
ここで、消費電力を抑制する上記と別の方法としては、非線形光学結晶９内での波長変換効率を向上させることが上げられる。波長変換効率は、非線形光学結晶に入力されるレーザー光のビーム断面積が小さい程向上する。また、レーザー光は、例えば、図１（Ａ）に示すように、非線形光学結晶９内を所定のビーム拡がり角θ1で発振器内の光軸に沿って伝播している。そして、非線形光学結晶９内でのビーム拡がり角θ1が小さいほど各断面でのビーム断面積は小さく保たれ、波長変換効率は向上するため、ビーム拡がり角θ1は小さい方が望ましい。したがって、例えば、ポンプ光のビーム径が同じで、第１共振器４の長さも同じ場合は、ポンプ光の焦点位置を、図１（Ａ）において点線で示すように、第２反射鏡８に設定するとビーム拡がり角θ1は最小となる。
【００４３】
本実施形態においては、前述のように第１反射鏡７を凹面鏡とし、第２反射鏡８を平面鏡にすることにより、第１反射鏡７により集光されたポンプ光の焦点位置を第２反射鏡８とポンプ光の光軸との交点に設定することができる。一方で、従来のこの種の光パラメトリック発振器において、共振器の両端に互いに凹面部を対向させた凹面鏡を配置させた構成のため、レーザー光の焦点位置を、固体レーザー結晶と非線形光学結晶の間であって、非線形光学結晶と離間した反射鏡に設定している。したがって、従来のこの種の光パラメトリック発振器よりも、ビーム拡がり角θ1を小さくすることが可能なため、波長変換効率を向上させることができる。このようにして、さらなる消費電力の抑制を図ることができる。
【００４４】
また、一般的に、レーザー共振器の共振は、図２に示すように、中心波長λｍを中心とし所定の間隔で共振波長（λ１〜λｎ）が存在し、パワースペクトルについては、スペクトル幅Ｓｗが一般的に広がり、共振波長に応じた周期的な形状を示す。この各パワースペクトルは縦モードと言われる。したがって、非線形光学結晶９に入力するポンプ光の波長は、所定の間隔で複数の縦モードが存在（縦マルチモード化）していると共に、一般的に線幅は広がっているため、この状態では、非線形光学結晶９から発振するレーザー光の品質は低下する。
なお、以上の第１実施形態の説明においては、エタロン板１１ａを配置した場合について説明したが、本実施形態に係る光パラメトリック発振器１は、これに限らず、エタロン板１１ａを配置しない構成であってもよい。
【００４５】
本実施形態においては、前述の様にエタロン板１１ａ（波長変更手段１１）を配置している。エタロン板１１ａは、前述の様に通過するレーザー光の波長を変更させる機能とは別に、図２に示すように、縦マルチモード化されるレーザー光の中から特定の縦モードを抽出し、図３に示される様な、単一の縦モード（シングルモード化）にする機能と、エタロン板１１ａを通過したレーザー光のスペクトル幅Ｓｗを、狭く（狭線幅化）する機能をも有していることは、従来から知られている。したがって、エタロン板１１ａを介してポンプ光を非線形光学結晶６に入力することによって、非線形光学結晶６に入力するポンプ光の波長を、エタロン板１１ａの厚みに応じた、例えば、目標の波長に設定し、そして、ポンプ光をシングルモード化すると共に、線幅を狭くし品質を向上させることができる。
【００４６】
図４（Ａ）は、本発明に係る光パラメトリック発振器１の第２実施形態を示す概略構成図で、破線は励起光の光路を示し、点線はポンプ光の光路を示す。また、図４（Ｂ）は、各区間で伝播するレーザー光の主な波長の一例を示す図である。尚、図１の第１実施形態と同一の要素には同一の符号を付して説明を省略し、異なる部分についてのみ説明する。
【００４７】
本実施形態における第２反射鏡８は、図４（Ａ）に示すように、非線形光学結晶９に蒸着せずに別に設けている。そして、図４（Ｂ）に示すように、第２反射鏡８は、波長λｐのポンプ光と波長λｓのシグナル光を反射し、波長λiのアイドラ光を透過する。また、例えば、第１反射鏡７等の加工精度によって決まる焦点位置に第２反射鏡８を設置し、さらに、第１共振器４内でポンプ光が増幅するように第２反射鏡８を光軸と平行な方向に微調整し最適な位置に配置する。次に、第２共振器５によってシグナル光が増幅するように非線形光学結晶９及び第３反射鏡１０を光軸と平行な方向に微調整し最適な位置に配置する。このように、第１共振器４と第２共振器５の共振器長を個別に調整可能なため、第１反射鏡７や非線形光学結晶９等の加工精度に影響されずに、ポンプ光及びシグナル光の増幅を最適に行うことができる。なお、アイドラ光を外部へ出力する動作は、第１実施形態と同じであるため、説明を省略する。また、図４（Ａ）に、エタロン板１１ａを配置した場合について示したが、本実施形態の光パラメトリック発振器１は、これに限らず、エタロン板１１ａを配置しない構成でもよい。
【００４８】
図５（Ａ）は、本発明に係る光パラメトリック発振器１の第３実施形態を示す概略構成図で、破線は励起光の光路を示し、点線はポンプ光の光路を示す。また、図５（Ｂ）は、各区間で伝播するレーザー光の主な波長の一例を示す図である。尚、図１の第１実施形態と同一の要素には同一の符号を付して説明を省略し、異なる部分についてのみ説明する。
【００４９】
本実施形態における第３反射鏡１０は、図５（Ａ）に示すように、非線形光学結晶９に蒸着せずに別に設けている。そして、図５（Ｂ）に示すように、第３反射鏡１０は、波長λｐのポンプ光を透過し、波長λｓのシグナル光と波長λiのアイドラ光を反射する。これにより、本構成例においても、第１共振器４と第２共振器５の共振器長を個別に調整可能なため、非線形光学結晶９等の加工精度に影響されずに、ポンプ光及びシグナル光の増幅を最適に行うことができる。さらに、本実施形態においては、第１実施形態と同様に、非線形光学結晶９へ入射するポンプ光の断面積を小さくすることができるため、第２実施形態より非線形光学結晶９での波長変換効率がよい。なお、図５において、第３反射鏡１０は平面鏡として図示したが、非線形光学結晶９側に凹面部を向けて配置されて成る凹面鏡で構成されてもよい。これにより、第３反射鏡１０によりポンプ光を第２反射鏡８に効率よく集光させることができる。また、アイドラ光を外部へ出力する動作は、第１実施形態と同じであるため、説明を省略する。また、図５（Ａ）に、エタロン板１１ａを配置した場合について示したが、本実施形態の光パラメトリック発振器１は、これに限らず、エタロン板１１ａを配置しない構成でもよい。
【００５０】
図６は、本発明に係る光パラメトリック発振器１の第４実施形態を示す概略構成図で、破線は励起光の光路を示し、点線はポンプ光の光路を示す。ここでは、図１（Ａ）の第１実施形態を示す概略構成図と同一の要素には同一の符号を付して説明を省略し、異なる部分についてのみ説明する。また、本実施形態における光りパラメトリック発振器１の各区間で伝播するレーザー光の主な波長は、図１（Ｂ）で示された第１実施形態と同じであるため説明を省略する。
【００５１】
本実施形態における波長変更手段１１は、図６に示すように、エタロン板１１ａを設けず、固体レーザー結晶６及び第３反射鏡１０の互いに対向する端面間でポンプ光の一部を共振させるように、ポンプ光に対する反射率が高くなるように各端面を形成して構成されている。これにより、固体レーザー結晶６から出力されるポンプ光の一部は、固体レーザー結晶６と第３反射鏡１０との間で共振する。また、固体レーザー結晶６及び第３反射鏡１０は、前述のエタロン板１１ａの厚さ相当の距離ｄだけ離間して配置されている。このように構成された波長変更手段１１を介してポンプ光を非線形光学結晶６に入力することによって、非線形光学結晶６に入力するポンプ光をシングルモード化すると共に、狭線幅化することができることが従来から知られている。そして、このように構成された波長変更手段１１に入力されるポンプ光の波長を固体レーザー結晶６と第３反射鏡１０の互いに対向する端面間の距離ｄに応じた波長に設定して出力させることができ、端面間の距離ｄが長いほど波長は長くなり、短いほど波長は短くなることも従来から知られている。したがって、固体レーザー結晶６から出力されるポンプ光の波長が、非線形光学結晶９に入力する目標の波長とずれていたとしても、固体レーザー結晶６と第３反射鏡１０の互いに対向する端面間の距離ｄを適切に設定すれば、波長変更手段１１（固体レーザー結晶６と第３反射鏡１０の互いに対向する端面間）を通過したポンプ光の波長を目標の波長（例えば、λｐ＝１０６４ｎｍ）に設定することができる。これにより、目標の波長に設定されたポンプ光の波長と非線形光学結晶に基づいて決まる前記（１）式を満たすシグナル光とアイドラ光の波長を設定することができる。したがって、高価なエタロン板を設ける必要がないため、光パラメトリック発振器１のコストダウンを図ることができる。なお、アイドラ光を外部へ出力する動作は、第１実施形態と同じであるため、説明を省略する。
また、本実施形態において、固体レーザー結晶６及び第３反射鏡１０の互いに対向する端面間の離間距離ｄを、連続的に調整可能に構成してもよい。例えば、固体レーザー結晶６及び第３反射鏡１０の少なくと一方を移動可能な手段を設けて、離間距離ｄを調整する。固体レーザー結晶６と第３反射鏡１０との離間距離ｄが広くなるほど、ポンプ光の波長は長くなり、狭くするほど短くなることも従来から知られているため、非線形工学結晶９に入力するポンプ光の中心波長λｍを連続的に変更し、図２に矢印で示すように、波長掃引させることができるため、外部へ出力するアイドラ光の波長を掃引することができる。
【００５２】
図７は、本発明に係る光パラメトリック発振器１の第５実施形態を示す概略構成図で、破線は励起光の光路を示し、点線はポンプ光の光路を示す。ここでは、図１（Ａ）の第１実施形態を示す概略構成図と同一の要素には同一の符号を付して説明を省略し、異なる部分についてのみ説明する。また、本実施形態における光りパラメトリック発振器１の各区間で伝播するレーザー光の主な波長は、図１（Ｂ）で示された第１実施形態と同じであるため説明を省略する。
【００５３】
本実施形態におけるエタロン板１１ａは、図７に示すように、エタロン板１１ａに入射するレーザー光の入射角度θ２を、連続的に調整可能なように、例えば、エタロン板１１ａが回転可能に配置されている。これにより、角度θ２を大きくするほどポンプ光がエタロン板１１ａを通過する距離が長くなるためエタロン板１１ａを通過した後のポンプ光の波長は長くなり、角度θ２を小さくするほどエタロン板１１ａを通過する距離が短くなるため波長は短くなる。このように、本実施形態においても、上記第４実施形態において、固体レーザー結晶６と第３反射鏡１０との離間距離ｄを連続的に変更可能に構成した場合と同様に、外部へ出力するアイドラ光の波長を掃引させることができる。また、各波長はエタロン板の回転速度に応じた速さで変化させることができる。
【００５４】
図８（Ａ）は、本発明に係る光パラメトリック発振器１の第６実施形態を示す概略構成図で、破線は励起光の光路を示し、点線はポンプ光の光路を示す。また、図８（Ｂ）は各区間で伝播するレーザー光の主な波長の一例を示す説明図である。ここでは、図１の第１実施形態と同一の要素には同一の符号を付して説明を省略し、異なる部分についてのみ説明する。
【００５５】
本実施形態における波長変更手段１１は、エタロン板１１ａを、図８（Ａ）に示すように、第２共振器５の外側であって第２反射鏡８側に配置することにより構成されている。これによって、出力されるアイドラ光のみをエタロン板１１ａの厚みに応じた波長に設定することができる。この場合、図８（Ｂ）に示すように、波長λｐのポンプ光を非線形光学結晶９に入力すると、非線形光学結晶９に基づいて決まる前記（１）式を満たす波長λｓ及びλiのシグナル光とアイドラ光が非線形光学結晶９から発振され、波長λiのアイドラ光が、エタロン板１１ａに入力され、エタロン板１１ａの厚みに応じた波長λi１のアイドラ光を外部に出力することができる。なお、図８（Ａ）に示すように、上記第４第施形態において、固体レーザー結晶６と第３反射鏡１０との離間距離ｄを連続的に変更可能に構成した場合、及び第５実施形態と同様に、例えば、エタロン板１１ａを回転させることにより、本実施形態においても、上記第５実施形態と同様に、エタロン板１１ａへのレーザー光の入射角度θ２に応じて外部へ出力するアイドラ光の波長を掃引させることができる。
【００５６】
図９は、本発明に係る光パラメトリック発振器１の第７実施形態を示す概略構成図で、破線は励起光の光路を示し、点線はポンプ光の光路を示す。ここでは、図１（Ａ）の第１実施形態を示す概略構成図と同一の要素には同一の符号を付して説明を省略し、異なる部分についてのみ説明する。また、本実施形態における光りパラメトリック発振器１の各区間で伝播するレーザー光の主な波長は、図１（Ｂ）で示された第１実施形態と同じであるため説明を省略する。
【００５７】
本実施形態における波長変更手段１１は、エタロン板１１ａを備え更に、図９に示すように、非線形光学結晶９に、非線形光学結晶９の温度を変更可能な温度調整手段１２を備えて構成されている。ここで、非線形光学結晶９におけるポンプ光、シグナル光及びアイドラ光の各波長（λｐ、λｓ、λi）と各波長に対する非線形光学結晶９内での各屈折率（ｎｐ、ｎｓ、ｎi）、及び非線形光学結晶９の分極反転周期Λは下記の（２）式を満たしている。
２π（ｎｐ／λｐ−ｎｓ／λｓ−ｎi／λi＋１／Λ）＝０・・・・・（２）
なお、各屈折率（ｎｐ、ｎｓ、ｎi）は非線形光学結晶６の温度によって変化し、分極反転周期Λは非線形光学結晶９の製造上の条件で決まる固定値である。
したがって、温度調整手段１２により、非線形光学結晶６の温度を変化させることによって、非線形光学結晶６内の各屈折率を温度に応じた値に設定させることができ、非線形光学結晶６内で波長変換されるシグナル光とアイドラ光の波長を上記（２）式を満たすように設定することができる。また、非線形光学結晶９の温度を連続的に変化させることができるため、上記第４第施形態において、固体レーザー結晶６と第３反射鏡１０との離間距離ｄを連続的に変更可能に構成した場合、並びに上記第５及び第６実施形態と同様に、外部へ出力するアイドラ光の波長を掃引させることができる。そして、温度の変化範囲に応じて広帯域の波長掃引を行うことができる。なお、本実施形態において、波長変更手段１１は、エタロン板１１ａと温度調整手段１２を備えた場合を説明したが、エタロン板１１ａを配置せず、温度調整手段１２のみを備えた構成であってもよい。
【００５８】
図１０は、本発明に係る光パラメトリック発振器１の第８実施形態を示す概略構成図で、破線は励起光の光路を示し、点線はポンプ光の光路を示す。ここでは、図１（Ａ）の第１実施形態を示す概略構成図と同一の要素には同一の符号を付して説明を省略し、異なる部分についてのみ説明する。また、本実施形態における光りパラメトリック発振器１の各区間で伝播するレーザー光の主な波長は、図１（Ｂ）で示された第１実施形態と同じであるため説明を省略する。
【００５９】
本実施形態における波長変更手段１１は、エタロン板１１ａを備え更に、図１０に示すように、非線形光学結晶９内を透過するポンプ光の光路上における分極反転周期Λが変わるように、ポンプ光を入射させる構成であり、例えば、第２共振器５を光軸と直交する方向（図１０における矢印方向）に移動させることにより、非線形光学結晶９内を透過するポンプ光の光路上における分極反転周期Λを変化させることができ、非線形光学結晶６内で波長変換されるシグナル光とアイドラ光の波長を上記（２）式を満たすように設定することができる。また、例えば、第２共振器５を光軸と直交する方向に連続的に移動させることができるため、上記第４第施形態において、固体レーザー結晶６と第３反射鏡１０との離間距離ｄを連続的に変更可能に構成した場合、並びに第５〜第７実施形態と同様に、外部へ出力するアイドラ光の波長を掃引させることができる。なお、本実施形態において、波長変更手段１１は、非線形光学結晶９内を透過するポンプ光の光路上における分極反転周期Λが変わるように、ポンプ光を入射させる構成であって、更にエタロン板１１ａを備えた場合を説明したが、エタロン板１１ａを配置しない構成であってもよい。また、第２共振器５を移動させる場合で説明したが、これに限らず光軸を動かす構成であってもよい。
【００６０】
図１１は、本発明に係るガス計測装置１３の概略構成図である。本発明のガス計測装置１３は、前述の光パラメトリック発振器１からガス計測領域１４にアイドラ光を照射して計測対象ガスの濃度を計測するものである。
【００６１】
本発明に係るガス計測装置１３は、光パラメトリック発振器１を備え、更に、例えば、図１１に示すように、計測開始スイッチ１５と、光学系１６と、反射体１７からの反射光を受光する受光光学系１８と、受光部１９と、受光部１９から得られるデータを解析し計測対象ガスの濃度等を演算しガス漏洩警告の閾値を越えているかどうかを判定する解析・判定部２０を備えると共に装置全体の動作を適切に制御する制御部２１と、出力部２２とを備えて構成されている。これにより、光パラメトリック発振器１は従来のものより小型化されているため、ガス計測装置１４を小型化することができる。なお、光パラメトリック発振器１から出力するアイドラ光の波長を、中赤外線領域の波長、例えば、４．６１〜４．６６μｍの範囲で変更可能な構成にするとよい。これにより、例えば、計測対象ガスが一酸化炭素（ＣＯ）の場合、漏洩ガスの濃度が１０ｐｐｍ・ｍ〜１００ｐｐｍ・ｍといった微量ガスの漏洩を検知できる。
【００６２】
次に、このように構成されたガス計測装置１４により計測対象ガスの濃度を計測しガス漏洩の警報をする動作について説明する。
【００６３】
図１２に示すように、まず、計測開始スイッチ１５をＯＮし、光パラメトリック発振器１を作動させて所定の波長のアイドラ光を発振させ、アイドラ光を光学系１６によりガス計測領域１３に平行ビームを出射させ、受光光学系１８により反射体１７からの反射光を受光する。そして、受光部１９により受光光学系１８で受光した反射光を光電変換すると共に光電変換されたアナログデータをデジタルデータに変換し制御部１９へ出力する。また、制御部２１内の解析・判定部２０により受光部１９から得られたデータを解析し計測対象ガスの濃度等を演算し、ガス漏洩警告の閾値を越えているかどうかを判定する。さらに、解析・判定部２０によりガス漏洩警告の閾値を超えていると判定された場合に、出力部２２により音声や表示により警告を行う。
【００６４】
図１３は、ガス計測装置１３からガス計測領域１４に出力されるアイドラ光の波長と計測対象ガスへのアイドラ光の透過率の関係を示す図であり、ガス計測領域までの距離が１０ｍ、漏洩ガスの濃度が１０ｐｐｍという条件で、検出対象ガスをＣＯとし、同じガス計測領域及びガス濃度について検出した場合の結果である。図１３に示すように、アイドラ光の波長に対応してＣＯガスへの透過率は変化する。透過率が低くなる波長のアイドラ光は、ＣＯガスに対する検知感度が高いことを示し、透過率が高い波長のアイドラ光は、検知感度が低いことを示している。このようにして、アイドラ光の波長を変化させることにより、検出対象ガスの検知感度が高いアイドラ光の波長を知ることができる。さらに、前述した様に、例えば、エタロン板１１ａを固体レーザー結晶６と第３反射鏡１０に配置して、非線形光学結晶６に入力するポンプ光をシングルモード化及び狭線幅化させる構成にするとよい。これにより、図１３で示すような、アイドラ光の波長と計測対象ガスへのアイドラ光の透過率の関係図を細い線幅で図示することができ、精度のよい結果を得ることができる。
【００６５】
なお、以上の説明では、第２反射鏡８及び第３反射鏡１０の少なくともどちらか一方を、非線形光学結晶９の端面に蒸着させて形成したが、蒸着に限らず、非線形光学結晶９の端面に一体的に形成されていればよい。また、計測対象ガスは、ＣＯガスについて述べたが、ＣＯ以外の種類のガスでもよい。さらに、以上で説明した実施形態では、ポンプ光とシグナル光とアイドラ光の波長は微量のＣＯガスを遠隔検知する場合で説明したが、これらの波長に限るものではなく、ポンプ光とシグナル光とアイドラ光の波長は他の種類のガス及び条件（濃度、計測対象ガス領域までの距離等）に応じて適合した波長に設定されるものである。
【符号の説明】
【００６６】
１…光パラメトリック発振器
２…励起光源
４…第１共振器
５…第２共振器
６…固体レーザー結晶
７…第１反射鏡
８…第２反射鏡
９…非線形光学結晶
１０…第３反射鏡
１１…波長変更手段
１１ａ…エタロン板
１２…温度調整手段
１３…ガス計測装置
１４…ガス計測領域
【図１】
2010204507.tif 000003
【図２】
2010204507.tif 000004
【図３】
2010204507.tif 000005
【図４】
2010204507.tif 000006
【図５】
2010204507.tif 000007
【図６】
2010204507.tif 000008
【図７】
2010204507.tif 000009
【図８】
2010204507.tif 000010
【図９】
2010204507.tif 000011
【図１０】
2010204507.tif 000012
【図１１】
2010204507.tif 000013
【図１２】
2010204507.tif 000014
【図１３】
2010204507.tif 000015